(57)【特許請求の範囲】
【請求項１】
方法であって、
マルチキャリア無線通信ネットワークにおいて、ユーザー装置 (ＵＥ)により、複数のダウンリンクコンポーネントキャリア (以下、ダウンリンクＣＣと称す)のチャネル状態情報 (以下、ＣＳＩと称す)フィードバックを得る工程と、
所与の時間スロットで、各ダウンリンクＣＣの伝送されるフィードバックタイプに基づいて、ＣＳＩ報告の優先ダウンリンクＣＣを決定する工程、および、 
プライマリーアップリンクＣＣで、前記優先ダウンリンクＣＣの対応するＣＳＩフィードバックを伝送する工程を含み、
各ダウンリンクＣＣはフィードバックモードに関連し、
各フィードバックモードは、上層により設定される時間スロットで、基地局に報告される一組のフィードバックタイプであり、
各フィードバックタイプは優先レベルを有し、
異なるフィードバックタイプは、
プレコーディングタイプインジケータ、ランクインジケーション、チャネル品質インジケータ、プレコーダマトリクスインジケータおよびそれらの組み合わせを含むＣＳＩ情報タイプに基づいて、群にまとめられ、且つ、
同じフィードバックタイプ群の複数のフィードバックタイプは、
同じ優先レベルをシェアすることを特徴とする方法。
【請求項２】
各フィードバックモードは、前記上層により半静的（ｓｅｍｉ−ｓｔａｔｉｃａｌｌｙ）に設定され、且つ、ＭＩＭＯ伝送モードにリンクされることを特徴とする請求項１に記載の方法。 
【請求項３】
各フィードバックタイプは周期的に前記基地局に報告され、
対応するダウンリンクＣＣの各組のフィードバックタイプは、完全なＣＳＩフィードバック情報を形成することを特徴とする請求項１に記載の方法。  
【請求項４】
方法であって、
マルチキャリア無線通信ネットワークにおいて、ユーザー装置 (ＵＥ)により、複数のダウンリンクコンポーネントキャリア (以下、ダウンリンクＣＣと称す)のチャネル状態情報 (以下、ＣＳＩと称す)フィードバックを得る工程、
所与の時間スロットで、各ダウンリンクＣＣの伝送されるフィードバックタイプに基づいて、ＣＳＩ報告の優先ダウンリンクＣＣを決定する工程、および、 
プライマリーアップリンクＣＣで、前記優先ダウンリンクＣＣの対応するＣＳＩフィードバックを伝送する工程を含み、
各ダウンリンクＣＣはフィードバックモードに関連し、
各フィードバックモードは、上層により設定される時間スロットで、基地局に報告される一組のフィードバックタイプであり、
各フィードバックタイプは優先レベルを有し、
第一フィードバックタイプは非周期的報告によりサポートされ、
第二フィードバックタイプは非周期的報告によりサポートされず、
周期的なＣＳＩ報告中、前記第一フィードバックタイプは、前記第二フィードバックタイプより低い優先レベルを有することを特徴とする方法。  
【請求項５】
前記フィードバックタイプが同じ優先レベルを有する場合、前記優先ダウンリンクＣＣは、さらに、上層設定に基づいて決定されることを特徴とする請求項１に記載の方法。
【請求項６】
前記上層設定は、明示的にシグナリングされる又は黙示的に定義済みの優先規則を定義する工程を含むことを特徴とする請求項５に記載の方法。
【請求項７】
方法であって、
マルチキャリア無線通信ネットワークにおいて、ユーザー装置 (ＵＥ)により、複数のダウンリンクコンポーネントキャリア (以下、ダウンリンクＣＣと称す)のチャネル状態情報 (以下、ＣＳＩと称す)フィードバックを得る工程、
所与の時間スロットで、各ダウンリンクＣＣの伝送されるフィードバックタイプに基づいて、ＣＳＩ報告の優先ダウンリンクＣＣを決定する工程、および、 
プライマリーアップリンクＣＣで、前記優先ダウンリンクＣＣの対応するＣＳＩフィードバックを伝送する工程を含み、
各ダウンリンクＣＣはフィードバックモードに関連し、
各フィードバックモードは、上層により設定される時間スロットで、基地局に報告される一組のフィードバックタイプであり、
各フィードバックタイプは優先レベルをし、
前記フィードバックタイプが同じ優先レベルを有する場合、前記優先ダウンリンクＣＣは、前記所与の時間スロットで、フィードバックモードに基づいて決定されることを特徴とする方法。
【請求項８】
異なるフィードバックモードは群にまとめられ、且つ、同じ群の複数の前記フィードバックモードは、前記同じ優先レベルをシェアすることを特徴とする請求項７に記載の方法。 
【請求項９】
マルチキャリア無線通信ネットワークにおいて、ユーザー装置 (ＵＥ)により、複数のダウンリンクコンポーネントキャリア (以下、ダウンリンクＣＣと称す)のチャネル状態情報(以下、ＣＳＩと称す)フィードバックを得るチャネル状態情報 (ＣＳＩ)測定モジュール、
所与の時間スロットで、各ダウンリンクＣＣの伝送されるフィードバックタイプに基づいて、ＣＳＩ報告の優先ダウンリンクＣＣを決定する周期的ＣＳＩ報告モジュール、および、 
プライマリーアップリンクＣＣで、前記優先ダウンリンクＣＣの対応するＣＳＩフィードバックを伝送する無線周波数モジュールを有し、
各ダウンリンクＣＣはフィードバックモードに関連し、
各フィードバックモードは、上層により設定される時間スロットで、基地局に報告される一組のフィードバックタイプを含み
各フィードバックタイプは優先レベルを有し、
異なるフィードバックタイプは、
プレコーディングタイプインジケータ、ランクインジケーション、チャネル品質インジケータ、プレコーダマトリクスインジケータおよびそれらの組み合わせを含むＣＳＩ情報タイプに基づいて、群にまとめられ、且つ、
同じフィードバックタイプ群の複数のフィードバックタイプは、同じ優先レベルをシェアする
ことを特徴とするユーザー装置。 
【請求項１０】
各フィードバックモードは、前記上層により、半静的（ｓｅｍｉ−ｓｔａｔｉｃａｌｌｙ）に設置され、且つ、ＭＩＭＯ伝送モードにリンクされることを特徴とする請求項９に記載のユーザー装置。  
【請求項１１】
各フィードバックタイプは周期的に前記基地局に報告され、
対応するダウンリンクＣＣの各組のフィードバックタイプは、完全なＣＳＩフィードバック情報を形成することを特徴とする請求項９に記載のユーザー装置。 
【請求項１２】
マルチキャリア無線通信ネットワークにおいて、ユーザー装置 (ＵＥ)により、複数のダウンリンクコンポーネントキャリア (以下、ダウンリンクＣＣと称す)のチャネル状態情報(以下、ＣＳＩと称す)フィードバックを得るチャネル状態情報 (ＣＳＩ)測定モジュール、
所与の時間スロットで、各ダウンリンクＣＣの伝送されるフィードバックタイプに基づいて、ＣＳＩ報告の優先ダウンリンクＣＣを決定する周期的ＣＳＩ報告モジュール、および、 
プライマリーアップリンクＣＣで、前記優先ダウンリンクＣＣの対応するＣＳＩフィードバックを伝送する無線周波数モジュールを有し、
各ダウンリンクＣＣはフィードバックモードに関連し、
各フィードバックモードは、上層により設定される時間スロットで、基地局に報告される一組のフィードバックタイプを含み
各フィードバックタイプは優先レベルを有し、
第一フィードバックタイプは非周期的報告によりサポートされ、
第二フィードバックタイプは非周期的報告によりサポートされず、
周期的なＣＳＩ報告中、前記第一フィードバックタイプは、前記第二フィードバックタイプより、低優先レベルを有することを特徴とするユーザー装置。 
【請求項１３】
前記フィードバックタイプが同じ優先レベルを有する場合、前記優先ダウンリンクＣＣは、さらに、上層設定に基づいて決定されることを特徴とする請求項１２に記載のユーザー装置。
【請求項１４】
前記上層設定は、明示的にシグナリングされる又は黙示的に定義済みの優先規則を定義する工程を含むことを特徴とする請求項１３に記載のユーザー装置。
【請求項１５】
マルチキャリア無線通信ネットワークにおいて、ユーザー装置 (ＵＥ)により、複数のダウンリンクコンポーネントキャリア (以下、ダウンリンクＣＣと称す)のチャネル状態情報(以下、ＣＳＩと称す)フィードバックを得るチャネル状態情報 (ＣＳＩ)測定モジュール、
所与の時間スロットで、各ダウンリンクＣＣの伝送されるフィードバックタイプに基づいて、ＣＳＩ報告の優先ダウンリンクＣＣを決定する周期的ＣＳＩ報告モジュール、および、 
プライマリーアップリンクＣＣで、前記優先ダウンリンクＣＣの対応するＣＳＩフィードバックを伝送する無線周波数モジュールを有し、
各ダウンリンクＣＣはフィードバックモードに関連し、
各フィードバックモードは、上層により設定される時間スロットで、基地局に報告される一組のフィードバックタイプを含み
各フィードバックタイプは優先レベルを有し、
前記フィードバックタイプが同じ優先レベルを有する場合、前記優先ダウンリンクＣＣは、さらに、前記所与の時間スロットで、前記フィードバックモードに基づいて決定されることを特徴とするユーザー装置。 
【請求項１６】
異なるフィードバックモードは群にまとめられ、且つ、同じ群中の複数の前記フィードバックモードは、同じ優先レベルをシェアすることを特徴とする請求項１５に記載のユーザー装置。 
【請求項１７】
プロセッサと
プログラムを保存するメモリとを有し
前記プロセッサは、 
マルチキャリア無線通信ネットワークにおいて、ユーザー装置 (ＵＥ)により、複数のダウンリンクコンポーネントキャリア (以下、ダウンリンクＣＣと称す)のために、チャネル状態情報(以下、ＣＳＩと称す)フィードバックを得る工程と、
少なくとも一部が所与の時間スロットで、各ダウンリンクＣＣの伝送されるフィードバックタイプに基づいて、ＣＳＩフィードバック報告の優先規則を決定する工程、および、 
プライマリーアップリンクＣＣを用いて、優先ダウンリンクＣＣのＣＳＩフィードバックを伝送する工程を実行し、
各ダウンリンクＣＣはフィードバックモードに関連し、
各フィードバックモードは上層により設定される時間スロットで、基地局に報告される一組のフィードバックタイプを含み
各フィードバックタイプが優先レベルを有し、
異なるフィードバックタイプは、
プレコーディングタイプインジケータ、ランクインジケーション、チャネル品質インジケータ、プレコーダマトリクスインジケータおよびそれらの組み合わせを含むＣＳＩ情報タイプに基づいて、群にまとめられ、且つ、
同じフィードバックタイプ群の複数のフィードバックタイプは、
同じ優先レベルをシェアする
ことを特徴とするユーザー装置。
【請求項１８】
各フィードバックモードは前記上層により、半静的（ｓｅｍｉ−ｓｔａｔｉｃａｌｌｙ）に設定され、且つ、ＭＩＭＯ伝送モードにリンクされることを特徴とする請求項１７に記載のユーザー装置。 
【請求項１９】
前記優先ダウンリンクＣＣが決定され、
前記各複数のダウンリンクＣＣは、実質上、平等な機会を有して、ＣＳＩフィードバックを報告することを特徴とする請求項１７に記載のユーザー装置。
【発明の詳細な説明】
【技術分野】
【０００１】
この出願は、２０１１年２月１５日に出願された「Priority Rules of periodic CSI Reporting in Carrier Aggregation」と題された米国特許仮出願番号６１／４４２８２５号から、合衆国法典第３５編第１１９条の下、優先権を主張するものであり、その内容は引用によって本願に援用される。
【０００２】
本発明は、無線ネットワーク通信に関するものであって、特に、移動通信システムにおいて、キャリアアグリゲーションに用いるアップリンクＣＳＩフィードバック優先規則に関するものである。
【背景技術】
【０００３】
相関ベースバンド信号処理を有する無線通信システムのトランスミッタとレシーバ両方での複数のアンテナの使用は、ＭＩＭＯ（Multiple-Input Multiple-Output)技術と称される。ＭＵ-ＭＩＭＯシステムにおいて、各受信局から別の受信局に伝送される相互干渉を抑制するために、プレコーディングがトランスミッタで適用されている。当業者にとって、ＭＵ-ＭＩＭＯプレコーディングは、伝播路（propagation channel）に基づく伝送信号の空間符号化（spatial encoding）に言及している。ＭＵ-ＭＩＭＯプレコーディングを適用するため、伝送局は、各受信局に接続される無線チャネルのチャネル状態情報 (ＣＳＩ) を知り、伝送することが必要である。３ＧＰＰ ＬＴＥシステムにおいて、ＣＳＩを測定、および、アップリンクフィードバックチャネルにより、ＣＳＩを伝送局(たとえば、ｅＮｏｄｅＢ)に報告するのは、受信局 (たとえば、ユーザー装置)にとって普通のことである。ＣＳＩフィードバックの内容は、各ダウンリンクコンポーネントキャリア (ＣＣ)に用いるＲＩ(rank indicator)、ＣＱＩ (チャネル品質インジケータ)およびＰＭＩ (precoding matrix indicator)を含む。
【０００４】
３ＧＰＰ ＬＴＥシステムにおいて、ＣＳＩ報告は二２つのタイプに分類される。第１のタイプは非周期的ＣＳＩ報告と称され、トリガーメカニズムを適用する。トリガーされる時、ＣＳＩは、起動された全ダウンリンクＣＣに報告するか、または、アップリンクＣＣとリンクしているダウンリンクＣＣに報告し、トリガー済みを含む承諾が伝送される。非周期的ＣＳＩは、ＰＵＳＣＨでだけ搭載される。第２のタイプは周期的なＣＳＩ報告と称され、上層 (たとえば、ＲＲＣ層)設定メカニズムを適用する。設定される時、ＣＳＩは、一個の起動されたダウンリンクＣＣだけに周期的に報告される。周期的ＣＳＩは、ＰＵＣＣＨまたはＰＵＳＣＨで搭載される。
【０００５】
Ｒｅｌ-８/９ＬＴＥシステムにおいて、ＲＩとＣＱＩ/ＰＭＩへの周期的なＣＳＩ報告は、それぞれ、単一コンポーネントキャリアに設定される。、ＲＩ報告は、周期MRIおよび相関するオフセットMOFFSET, RIにより設定される。ＣＱＩ／ＰＭＩ報告は、周期NPおよび関連するオフセット NOFFSET, CQIにより設定される。ＲＩおよびＣＱＩ／ＰＭＩ報告の関連するオフセット値の設定が完璧ではない時、ＲＩとＣＱＩ/ＰＭＩのコリジョンが単一キャリアの場合に発生する。一般に、優先規則は、コリジョンの発生下で、ＲＩの優先度がＣＱＩ/ＰＭＩより高い。よって、ＲＩ報告およびＣＱＩ／ＰＭＩ報告両方が、同じ時間スロットで設定される時、ＲＩ報告が伝送されると共に、ＣＱＩ／ＰＭＩ報告がＵＥにより破棄される。
【０００６】
Ｒｅｌ-１０ＬＴＥ-Ａシステムにおいて、キャリアアグリゲーション (ＣＡ)は、最大５個のＤＬ ＣＣをサポートすることができ、よって、複数のＤＬ ＣＣのＣＳＩ報告が可能になる。しかし、周期的なＣＳＩ報告が一個の起動された ＤＬ ＣＣだけに設定され、プライマリーアップリンクＣＣにより報告される。Ｒｅｌ-１０ ＬＴＥ-Ａで定義される１０個のフィードバックタイプと４個のフィードバックモードがある。よって、複数のＤＬ ＣＣで、周期的なＣＳＩ報告コリジョンがあるとき、どのＤＬ ＣＣに、既に設定された周期的なＣＳＩ報告が伝送されるかを、詳細な優先規則により決定することが必要である。
【発明の概要】
【発明が解決しようとする課題】
【０００７】
本発明は、キャリアアグリゲーション中、周期的なＣＳＩ報告の優先規則ことを目的とする。
【課題を解決するための手段】
【０００８】
マルチキャリア無線通信ネットワーク中、ＵＥは、複数のダウンリンクコンポーネントキャリア (ＣＣ)のために、チャネル状態情報 (ＣＳＩ)フィードバックを得る。各ダウンリンクＣＣはフィードバックモードに関連し、各フィードバックモードは、上層により設定される時間スロットで、基地局に報告される一組のフィードバックタイプを含む。ＵＥは、その後、所与の時間スロットで、各ダウンリンクＣＣの伝送されるフィードバックタイプの優先レベルに基づいて、ＣＳＩ報告の優先ダウンリンクＣＣを決定する。ＵＥは、その後、所与の時間スロットで、プライマリーアップリンクＣＣのフィードバックチャネルにより、優先ダウンリンクＣＣの対応するＣＳＩフィードバックを伝送する。
【０００９】
本実施形態において、ＵＥは、まず、所与の時間スロットで、各ダウンリンクＣＣに報告される各フィードバックタイプの優先レベルをチェックする。フィードバックタイプの優先レベルが複数のＣＣ間で同じ場合、ＵＥは、各ダウンリンクＣＣに関連する各フィードバックモードの優先レベルをチェックする。フィードバックモードの優先レベルが複数のＣＣ間で同じ場合、ＵＥは、さらに、上層 (たとえば、所定の優先度に基づくまたはＲＲＣメッセージングにより)設定される各ダウンリンクＣＣの優先レベルをチェックする。最後に、優先レベル比較に基づいて、ＵＥは、所与の時間スロットで、ＣＳＩ報告の優先ダウンリンクＣＣを決定し、優先ダウンリンクＣＣの対応するＣＳＩフィードバックを伝送する。
【００１０】
３ＧＰＰ ＬＴＥシステムにおいて、定義される１０個のフィードバックタイプと４個のフィードバックモードがある。一例において、フィードバックタイプは優先順序で群になり、および、各フィードバックタイプ群は、同じ優先レベルをシェアする幾つかのフィードバックタイプを有する。同様に、フィードバックモードも優先順序で群になり、および、各フィードバックモード群は、同じ優先レベルをシェアするひとつまたはそれ以上のフィードバックモードを有する。各ダウンリンクＣＣのフィードバックタイプの群の優先度を比較することにより、ＣＳＩフィードバック機会は、複数のＣＣで均等に分配され、特定のＣＣを偏向または排斥しない。
【図面の簡単な説明】
【００１１】
【図１】本実施形態に係る無線通信システムにおいて、ＣＳＩ報告の優先規則を示す図である。
【図２】本実施形態に係るユーザー装置のブロック図である。
【図３】３ＧＰＰ ＬＴＥシステムで定義される異なるＣＳＩフィードバックタイプの表を示す図である。
【図４】３ＧＰＰ ＬＴＥシステムで定義される異なるＣＳＩフィードバックモードを示す図である。
【図５】ＣＳＩ報告の優先規則の一例を示す図である。
【図６】ＣＳＩ報告の優先規則の別の例を示す図である。
【図７】周期的なＣＳＩ報告に用いられる優先規則の幾つかの例を示す図である。
【図８】本実施形態に係るＣＳＩ報告の優先規則を決定する方法のフローチャートである。
【発明を実施するための形態】
【００１２】
本発明の実施態様について詳細に述べる。 
図１は、本実施態様による無線通信システム１００におけるチャネル状態情報 (ＣＳＩ：Channel state information)報告の優先規則を説明する図である。無線通信システム１００は、ユーザー装置（ＵＥ：User Equipment）１０１およびサービング基地局ｅＮｏｄｅＢ１０２を含む。図１の例において、キャリアアグリゲーション (ＣＡ：Carrier Aggregation)は、５個のダウンリンクコンポーネントキャリアおよび５個のアップリンクコンポーネントキャリアをサポートし、各データ接続を行う。ダウンリンクコンポーネントキャリアは、１個のプライマリーセル（ＤＬ ＰＣＥＬＬ）および４個のセカンダリーセル（ＤＬ ＳＣＥＬＬ #1 から #4）を含む。アップリンクコンポーネントキャリアは、１個のプライマリーセル（ＵＬ ＰＣＥＬＬ）および４個のセカンダリーセル（ＵＬ ＳＣＥＬＬ #1 から #4）を含む。全５個のＤＬ ＣＣとＵＬ ＣＣが起動される場合、ＵＥ１０１は、ＣＳＩを測定し、および、アップリンクフィードバックチャネルにより、各起動したＤＬ ＣＣにＣＳＩを報告することが必要である。
【００１３】
３ＧＰＰ ＬＴＥシステムにおいて、ＣＳＩ報告は２つのタイプに分類される。第１のタイプは非周期的ＣＳＩ報告と称され、トリガーメカニズムを応用する。トリガーされる時、ＣＳＩは、全起動したダウンリンクＣＣに報告される。第２のタイプは周期的なＣＳＩ報告と称され、上層 (たとえば、ＲＲＣ層)設定メカニズムを応用する。設定される時、ＣＳＩは、任意の所与のサブフレームで、一個の起動したダウンリンクＣＣだけに周期的に報告される。周期的なＣＳＩ報告が、複数のＤＬ ＣＣに同時に設定される場合、周期的なＣＳＩ報告コリジョンが複数のＤＬ ＣＣで発生する。これは、周期的なＣＳＩ報告のフィードバックチャネルがアップリンクＣＣで、所定のリソースにより搭載されるからである。たとえば、ＣＳＩ報告が、同じ時間スロット (たとえば、所与のサブフレーム中)で、ＤＬ ＰＣＥＬＬ、ＳＣＥＬＬ #1および ＳＣＥＬＬ #2に設定される場合、ＣＳＩ報告コリジョンが発生する。その結果、ＣＳＩ報告が１個のＤＬ ＣＣのために伝送され、別の二個のＣＣのために破棄される。
【００１４】
本実施形態では、優先規則が、キャリアアグリゲーションの周期的なＣＳＩ報告のために定義される。まず、ＵＥ１０１はチャネルを推定して、各起動されたダウンリンクＣＣのＣＳＩを得る。次に、コリジョンが複数の起動されたＤＬ ＣＣで発生する時、優先規則に基づいて、優先的ＤＬ ＣＣが、ＣＳＩ報告に決定される。最後に、ＵＥ１０１は、ＵＬ ＰＣＥＬＬで、アップリンクフィードバックチャネルにより、優先的ＤＬ ＣＣのＣＳＩフィードバックを伝送する。一般に、優先規則は、ＣＳＩ報告の１個の特定のＤＬ ＣＣを排斥しないことが望まれる。各起動されたＤＬ ＣＣはできるだけ等しく処理され、および、そのうちに、実質的には、同じ機会で、ＣＳＩフィードバックを報告する。
【００１５】
図２は、本実施形態によるユーザー装置（ＵＥ）２０１のブロック図である。ＵＥ２０１は、メモリ２１１、プロセッサ２１２、ベースバンドモジュール２１３、アンテナ２１５に結合される無線周波数 (ＲＦ)モジュール２１４を含む。アンテナ２１５はＲＦ信号を送受信する。ＲＦモジュール２１４はアンテナ２１５からＲＦ信号を受信し、ベースバンド信号を転換して、プロセッサ２１２に伝送する。ＲＦモジュール２１４も、プロセッサ２１２から受信したベースバンド信号を転換し、それらをＲＦ信号に転換し、アンテナ２１５に伝送する。ＵＥ２０１は各種機能モジュールも含んで、本発明の具体例を実施する。
【００１６】
本実施形態において、ＵＥ２０１は、ＣＳＩ測定と報告を処理するＣＳＩ制御モジュール２３０を含む。ＣＳＩ制御モジュール２３０は、ＣＳＩ測定モジュール２３１、優先ルール決定モジュール２４２を有する周期的ＣＳＩ報告モジュール２４１および非周期的ＣＳＩ報告モジュール２４３を含む。ＣＳＩ測定モジュール２３１はチャネル推定を実行して、および、各起動されたダウンリンクＣＣのＣＳＩを得る。周期的なＣＳＩ報告モジュール２４１は、ＲＲＣ層設定に基づいて、周期的ＣＳＩを報告する。非周期的ＣＳＩ報告モジュール２４３は、物理下りリンク制御チャネル (ＰＤＣＣＨ：Physical downlink control channel)トリガに基づいて、非周期的ＣＳＩを報告する。プロセッサ２１２は異なる機能モジュールを起動して、ＵＥ２０１によりサポートされる機能を実行する。メモリ２１１は、ＵＥ２０１の操作を制御するために、プログラム命令とデータを保存する。機能モジュールは、ソフトウェア、ファームウェア、ハードウェアまたはそれらの組み合わせで実施される。プロセッサにより実行される時、周期的規則決定モジュール２４２により決定される優先規則の下、機能モジュールは、ＵＥ２０１が、特定のダウンリンクＣＣの周期的なＣＳＩフィードバックを、そのサービング基地局に報告することができるようにする。
【００１７】
ＣＳＩフィードバックの内容は、各起動されたＤＬ ＣＣのＰＴＩ(precoder type indication)、ＲＩ(rank indicator)、ＣＱＩ (チャネル品質インジケータ)およびＰＭＩ (プレコーディング matrix indicator)を含む。ＰＴＩ、ＲＩ、ＣＱＩおよびＰＭＩは基本ＣＳＩ情報タイプで、一緒に、完全なＣＳＩフィードバック情報を形成する。基本ＣＳＩ情報タイプに基づいて、異なるＣＳＩフィードバックタイプが定義される。図３は、３ＧＰＰ ＬＴＥシステムで定義される異なるＣＳＩフィードバックタイプの表である。Ｒｅｌ-８/９において、４個のフィードバックタイプ１〜４が定義される。フィードバックタイプ１はサブバンドＣＱＩ情報を示し、フィードバックタイプ２は、広帯域ＣＱＩプラスＰＭＩ情報を示し、フィードバックタイプ３はＲＩ情報を示し、フィードバックタイプ４は広帯域ＣＱＩ情報を示す。
【００１８】
Ｒｅｌ-１０において、さらに６個のフィードバックタイプ１ａ、２ａ/２ｂ/２ｃ、５および６が定義される。フィードバックタイプ１ａ は、サブバンドＣＱＩプラスサブバンド第二ＰＭＩ情報を示し、フィードバックタイプ２ａは広帯域第一ＰＭＩ情報を示し、フィードバックタイプ２ｂは、広帯域ＣＱＩプラス広帯域第二ＰＭＩ情報を示し、フィードバックタイプ２ｃは広帯域ＣＱＩ、広帯域第一ＰＭＩおよび広帯域第二ＰＭＩ情報を示し、フィードバックタイプ５は、ＲＩプラス第一ＰＭＩ情報を示し、フィードバックタイプ６は、ＲＩプラスＰＴＩ情報を示す。異なるフィードバックタイプが定義されているため、ｅＮｏｄｅＢは、異なる時間スロットで、フィードバックチャネル上の所定の無線リソースを用いて、ＵＥにより報告されるＣＳＩ情報を、フレキシブルに設定することができる。たとえば、フィードバックチャネルは、予め決まる周期的な所与の時間スロットで、所定数量のビット (たとえば、１２ビット)を含み、各フィードバックタイプは効果的に所定数量のビットにより搭載される。
【００１９】
ｅＮｏｄｅＢに対し、完全なＣＳＩフィードバック情報を受信するため、異なるＣＳＩフィードバックモードが定義される。図４は、３ＧＰＰ ＬＴＥシステムで定義される異なるＣＳＩフィードバックモードを示す。図４の表４０１は、フィードバックモードとフィードバックタイプ間の関係を示す図である。たとえば、フィードバックモード１-０は、広帯域ＣＱＩおよび無ＰＭＩを示し、フィードバックモード１-１は、単一ＰＭＩを有する広帯域ＣＱＩを示し、フィードバックモード２-０は、サブバンドＣＱＩおよび無ＰＭＩを示し、フィードバックモード２-１は、サブバンドＣＱＩおよび単一ＰＭＩを示す。図４の表４０２は、各フィードバックモードに定義される詳細なフィードバックタイプを示す。フィードバックモード１-０はフィードバックタイプ３および４を含み、フィードバックモード１-１はフィードバックタイプ３/５と２/２ｂ/２ｃを含み、フィードバックモード２-０はフィードバックタイプ３、４および１を含み、フィードバックモード２-１はフィードバックタイプ３/６、２、１、２ａ (２ｂ)および２ｂ (１ａ) (たとえば、ＰＴＩ = 0の場合、２ａおよび２ｂ; またはＰＴＩ =１の場合、２ｂと１ａ)を含む。各フィードバックモードにとって、その定義されたフィードバックタイプは異なる時間スロットで報告されて、ｅＮｏｄｅＢは、やがて、完全なＣＳＩフィードバック情報を受信できる。たとえば、フィードバックモード１-０にとって、フィードバックタイプ３ (ＲＩ)およびフィードバックタイプ４ (広帯域ＣＱＩ)が、異なる時間スロットで、ｅＮｏｄｅＢに報告される。
【００２０】
フィードバックモードがＭＩＭＯ伝送モード (ＴＭ：transmission mode)にリンクされる。９個の伝送モードが３ＧＰＰ ＬＴＥシステムで定義される。伝送モード１〜３および７はフィードバックモード１-０および２-０に関連し、ＣＳＩフィードバックに必要とされるＰＭＩがない。伝送モード４〜６はフィードバックモード１-１および２-１に関連し、単一ＰＭＩはＣＳＩフィードバックに必要である。
【００２１】
ＵＥがＰＭＩ／ＲＩ報告を設定する場合には、伝送モード８はフィードバックモード１-１および２-１に関連し、又は、ＵＥがＰＭＩ／ＲＩ報告を設定しない場合には、伝送モード８はモード１-０および２-０に関連する。ＵＥがＰＭＩ／ＲＩ報告を設定し、および、ＣＳＩ-ＲＳポートの数量が１より大きい場合には、伝送モード９はフィードバックモード１-１および２-１に関連する。ＵＥがＰＭＩ／ＲＩ報告を設定しない、又は、ＣＳＩ-ＲＳポートの数量が１である場合には、伝送モード９はモード１-０および２-０に関連する。
【００２２】
周期的なＣＳＩ報告に対し、各起動されたダウンリンクＣＣは、ＤＬ ＣＣに適用されるＭＩＭＯ伝送モードに基づいて、特定のフィードバックモードが設定される。ＭＩＭＯ伝送モードは、各サブフレームに、動的に変化しないので、その対応するフィードバックモードは、上層ＲＲＣにより半静的に（semi-statically）設定される。一方、各フィードバックモード中の異なるフィードバックタイプが異なるサブフレームで報告されるので、各フィードバックタイプは、動的に、異なるサブフレームで設定される。この特徴に基づくと、フィードバックタイプ優先度に従い優先規則がまず決定されて、フィードバックタイプ優先度が同じ場合には、任意で、フィードバックモード優先度に従う。フィードバックタイプ (およびフィードバックモード)優先度が同じ場合、ＲＲＣ層設定に従う。さらに、異なるフィードバックタイプは、優先順序で群にまとめられる。各フィードバックタイプ群において、同じ優先度をシェアする幾つかのフィードバックタイプがある。ＣＳＩ報告にこのような優先規則を用いることにより、各起動されたＤＬ ＣＣは、そのうちに、実質的に、ＣＳＩ報告の平等な機会を獲得し、いかなる特定のＤＬ ＣＣも排斥しない。
【００２３】
図５は、ＣＳＩ報告の優先規則の一例を示す図である。図５の例において、 ＵＥおよびそのサービングｅＮｏｄｅＢは、５個のダウンリンクコンポーネントキャリア (たとえば、ＤＬ ＰＣＥＬＬ および ＤＬ ＳＣＥＬＬ #1-#4)および５個のアップリンクコンポーネントキャリア (たとえば、ＵＬ ＰＣＥＬＬおよびＵＬ ＳＣＥＬＬ #1-#4)で、互いに通信する。３種のダウンリンクＣＣ(たとえば、ＤＬ ＰＣＥＬＬ、ＤＬ ＳＣＥＬＬ #1およびＤＬ ＳＣＥＬＬ #2)が起動され、ＣＳＩフィードバック報告が、ＵＬ ＰＣＥＬＬにより、各３個の起動されたＤＬ ＣＣに設定される。ＤＬ ＰＣＥＬＬに対し、フィードバックモード１-０が適用され、フィードバックタイプ３および４が、周期的なＣＳＩ報告に設定される。ＤＬ ＳＣＥＬＬ #1に対し、フィードバックモード１-１が適用され、フィードバックタイプ２および３が、周期的なＣＳＩ報告に設定される。ＤＬ ＳＣＥＬＬ #2に対し、フィードバックモード２-０が適用されて、フィードバックタイプ１、３、４が、周期的なＣＳＩ報告に設定される。図５の二次元表は、どのようにして、周期的なＣＳＩフィードバック報告が異なる優先規則に基づいて決定されるかを説明し、垂直軸は、周波数ドメイン(たとえば、ＣＣ)を示し、水平軸は、時間ドメイン (たとえば、時間スロット)を示す。
【００２４】
第一例において、二次元表５０１は、フィードバックモードに基づいた優先規則、たとえば、フィードバックモード１-０ > モード１-１ > モード２-０の優先度を説明する。このような優先規則の下、関連するフィードバックモードのため、ＤＬ ＰＣＥＬＬは、常に、ＤＬ ＳＣＥＬＬ #1より高い優先度を有し、ＤＬ ＳＣＥＬＬ #1は、ＤＬ ＳＣＥＬＬ #2より高い優先度を有することが分かる。たとえば、時間スロットＴ１で、ＤＬ ＰＣＥＬＬは、ＣＳＩ報告の優先的ＣＣとして選択される。ＵＥはフィードバックタイプ４をＤＬ ＰＣＥＬＬに伝送し、両ＤＬ ＳＣＥＬＬ #1およびＤＬ ＳＣＥＬＬ #2 (たとえば、図中の削除表記)に設置されるフィードバックタイプ３を破棄する。同様に、時間スロット T2で、ＵＥはフィードバックタイプ４をＤＬ ＰＣＥＬＬに伝送し、ＤＬ ＳＣＥＬＬ #2に設定されるフィードバックタイプ１を破棄する。時間スロット T3で、ＤＬ ＳＣＥＬＬ #1 が、ＣＳＩ報告の優先的ＣＣとして選択される。ＵＥはフィードバックタイプ２をＤＬ ＳＣＥＬＬ #1,に伝送し、ＤＬ ＳＣＥＬＬ #2に設定されるフィードバックタイプ３を破棄する。その結果、ＣＳＩ報告は、常に、最初に、ＤＬ ＰＣＥＬＬに託され、その後、ＤＬ ＳＣＥＬＬ #1、最後がＤＬ ＳＣＥＬＬ #2である。ｅＮｏｄｅＢに適するＣＳＩ報告がないと、それらのＤＬ ＣＣ、たとえば、 ＤＬ ＳＣＥＬＬ #2に対するＤＬ ＭＩＭＯの性能低下を生じる。
【００２５】
第二例において、二次元表５０２は、フィードバックタイプに基づいた好ましい設計の優先規則、たとえば、フィードバックタイプ３ > タイプ４ > タイプ２ > タイプ１の優先度を示す。フィードバックタイプが同じ時、優先度は、さらに、ＲＲＣ設定 (たとえば、ＣＣインデックスに基づく)により決定される。ランダムな動的状況下、異なる時間スロットで、異なるフィードバックタイプが異なるＤＬ ＣＣに設定されるので、このような優先規則の下、３個のＤＬ ＣＣのそれぞれは、所与の時間スロットで、別の二個のＤＬ ＣＣとほぼ同じ優先度を有することが分かる。たとえば、時間スロット T1で、ＵＥはフィードバックタイプ３をＤＬ ＳＣＥＬＬ #1に伝送し、ＤＬ ＰＣＥＬＬに設定されたフィードバックタイプ４を破棄し、ＤＬ ＳＣＥＬＬ #2に設定されたフィードバックタイプ３が破棄される (たとえば、さらに、ＣＣインデックスに基づいて決定される)。時間スロット T2で、ＵＥはフィードバックタイプ４をＤＬ ＰＣＥＬＬに伝送し、ＤＬ ＳＣＥＬＬ #2に設定されるフィードバックタイプ１を破棄する。最後に、時間スロット T3で、ＵＥはフィードバックタイプ３をＤＬ ＳＣＥＬＬ #2に伝送し、ＤＬ ＳＣＥＬＬ #1に設定されるフィードバック 2 を破棄する。その結果、異なるＤＬ ＣＣが、異なる時間スロットで、ＣＳＩ報告の優先的ＣＣとして選択され、且つ、ＣＳＩ報告機会は、３個のＤＬ ＣＣ間で均等に分配される。
【００２６】
上述の説明のとおり、本例では、周期的なＣＳＩ報告に、優先順位が、フィードバックタイプおよびＲＲＣ設定に基づくことを提案している。まず、ＵＥはフィードバックタイプ優先度に従い、優先的ＣＣを決定する。次に、フィードバックタイプ優先度が同じ場合、ＵＥはＲＲＣ設定に従う。一例において、ＵＥは、明示的ＲＲＣシグナリングメッセージにより、優先規則を受信する。別の例において、ＵＥは、ＲＲＣにより黙示的に定義される優先規則に従う。一方、フィードバックモードに基づく優先度は任意のものである。フィードバックモードは、半静的に設定され、且つ、伝送モードにリンクされるので、フィードバックモードに基づいた優先度は、特定のＤＬ ＣＣの周期的なＣＳＩ報告機会を長時間占有する結果となる。このほか、あるフィードバックモードは同じフィードバックタイプをシェアするので、フィードバックモードに基づいた優先度を決定することができない。たとえば、フィードバックモード１-０はフィードバックタイプ３および４からなり、フィードバックモード２-０はフィードバックタイプ３、４および１からなる。図５の２次元表５０２に示されるように、フィードバックモードに基づいた優先度を取り込まない状況下で、フィードバック機会は、既に、異なるＤＬ ＣＣで均等に分配されている。
【００２７】
図６は、ＣＳＩ報告の優先規則の別の例を示す図である。図５と同様、ＵＥとそのサービングｅＮｏｄｅＢは、５個のダウンリンクコンポーネントキャリア (たとえば、ＤＬ ＰＣＥＬＬおよびＤＬ ＳＣＥＬＬ #1-#4)および５個のアップリンクコンポーネントキャリア (たとえば、ＵＬ ＰＣＥＬＬおよびＵＬ ＳＣＥＬＬ #1-$4)で、互いに通信する。図６の例において、３種のダウンリンクＣＣ ＤＬ ＰＣＥＬＬ、ＤＬ ＳＣＥＬＬ #1およびＤＬ ＳＣＥＬＬ #2 が起動され、ＣＳＩフィードバック報告は、ＵＬ ＰＣＥＬＬにより、３個の各ＣＣに設定される。ＤＬ ＰＣＥＬＬに対し、ＴＭ７のフィードバックモード１-０ が周期的なＣＳＩ報告に適用され、フィードバック３とフィードバック４が設定される。ＤＬ ＳＣＥＬＬ #1に対し、ＭＴ８のフィードバックモード１-１が周期的なＣＳＩ報告に適用され、フィードバックタイプ２およびフィードバックタイプ３が設定される。ＤＬ ＳＣＥＬＬ #2に対し、ＴＭ９のフィードバックモード１-１がＣＳＩ報告に適用され、フィードバックタイプ２ｂおよびフィードバックタイプ５が設定される。
【００２８】
第一例において、二次元表６０１は、フィードバックタイプに基づいた優先規則、たとえば、フィードバックタイプ５ >タイプ３ > タイプ４ > タイプ２b > タイプ２ > タイプ１の優先度を説明する図である。フィードバックタイプが同じ時、優先度はＲＲＣ設定 (たとえば、ＣＣインデックスに基づく)により決定される。このような優先規則の下、フィードバックタイプ２ｂは、フィードバックタイプ２より高い優先度を有するので、ＤＬ ＳＣＥＬＬ #2 は、ＣＳＩ報告中、ＤＬ ＳＣＥＬＬ #1よりも優先されることが分かる。たとえば、時間スロット T1で、ＵＥはフィードバックタイプ２ｂをＤＬ ＳＣＥＬＬ #2に伝送し、ＤＬ ＳＣＥＬＬ #1に設定されるフィードバックタイプ２を破棄する。実際には、ＴＭ９(伝送モード９)が新しくＬＴＥ Ｒｅｌ-１０で定義され、フィードバックタイプ２ｂが新しく定義される。よって、フィードバックタイプ２ｂの優先規則がフィードバックタイプ２より高い場合、ある状況下で、TM9が設定されたＣＣは、周期的なＣＳＩ報告機会を得る高い機会を獲得する。
【００２９】
第二例において、二次元表６０２は、フィードバックタイプ群に基づく好ましい設計の優先規則を説明する。異なるフィードバックタイプが、まず、優先順序で群になり、各群は、同じ優先度をシェアするひとつまたはそれ以上のフィードバックタイプを有する。フィードバックタイプ群が同じ時、優先度はＲＲＣ設定 (たとえば、ＣＣインデックスに基づく)により決定される。二次元表６０２に示されるように、フィードバックタイプ群 (タイプ５、３) > 群 (タイプ４、２、２ｂ) > 群(タイプ１)の優先度である。群によるフィードバックタイプの優先度は、半静的に設定される特定の伝送モードへの優先傾向（preference）を回避することができることがわかる。たとえば、時間スロット T1で、フィードバックタイプ２がＤＬ ＳＣＥＬＬ #1に設定され、フィードバックタイプ２ｂがＤＬ ＳＣＥＬＬ #2に設定される。フィードバックタイプ２および２ｂは、同じ優先度をシェアする同じフィードバックタイプ群に属し、低ＣＣインデックスを有するため、ＵＥが、ＣＳＩ報告の優先的ＣＣとして、ＤＬ ＳＣＥＬＬ #1 を選択する。ある例において、フィードバックタイプが、ＣＳＩ情報タイプ、たとえば、ＰＴＩ >= ＲＩ > ＣＱＩ > ＰＭＩの優先度に基づいて、群に分類される。
【００３０】
周期的なＣＳＩ報告の優先規則は、非周期的ＣＳＩ報告に基づいて強化される。Ｒｅｌ-１０ ＬＴＥ-Ａシステムにおいて、いくつかのフィードバックモードは非周期的ＣＳＩ報告中に存在しない。非周期的ＣＳＩ報告は、周期的なＣＳＩ報告の不足を改善するため、特に、ＣＳＩが複数のＤＬ ＣＣのコリジョンのため破棄されるときに、トリガーされる。。しかし、非周期的ＣＳＩ報告中に存在しないそれらのフィードバックモードに対し、それらが破棄される場合、非周期的ＣＳＩ報告をトリガーすることにより回復させることができない。よって、非周期的ＣＳＩ報告を有さないこれらのフィードバックモードに対し、周期的なＣＳＩ報告はその他より優先される。
【００３１】
図７は、ＬＴＥシステム中、周期的なＣＳＩ報告に用いられる優先規則の複数の例を示す図である。二個以上のサービングセルに設置されるＵＥに対し、任意の所与のサブフレームで、ＵＥは、たった１個のサービングセルのＣＳＩ報告を伝送する。所与のサブフレームに対し、ＣＳＩ報告のコリジョンの場合、ＵＥは、優先規則に基づいて、優先的サービングセルを選択する。Example #1において、まず、フィードバックタイプ優先度がステップ１でチェックされる。ＣＳＩ情報タイプに基づいて、１０個のフィードバックタイプが３群に分けられる。この特定の例において、フィードバックタイプ群 #1 はフィードバックタイプ６、５、３および２ａからなり、フィードバックタイプ群 #2 はフィードバックタイプ２、２ｂ、２ｃおよび４からなり、フィードバックタイプ群#3 はフィードバックタイプ１と１ａからなる。優先順位は、フィードバックタイプ群 #1 > タイプ群 #2 > タイプ群 #3である。フィードバックタイプが同じ優先度を有する場合、フィードバックモード優先度がステップ２でチェックされる。４個のフィードバックモードが２群に分けられる。フィードバックモード群 #1 はフィードバックモード１-０および１-１からなり、フィードバックモード群 #2 はフィードバックモード２-０および２-１からなる。優先順位はフィードバックモード群 #1 > タイプ群#2である。フィードバックモードも同じ優先度を有する場合、各ＤＬ ＣＣの優先度がチェックされる。ＤＬ ＣＣ優先度がＲＲＣ層により設定され、たとえば、最低セルインデックスを有するＤＬ ＣＣは最高優先度を有する。上層優先規則は、明示的ＲＲＣシグナリングメッセージにより設定される、または、黙示的に所定のものである。
【００３２】
図８は、本実施態様によるＣＳＩ報告の優先規則を決定する方法のフローチャートである。ステップＳ８０１において、ＵＥは、マルチキャリア無線通信ネットワーク中の複数のダウンリンクＣＣのために、ＣＳＩフィードバックを得る。各ダウンリンクＣＣはフィードバックモードに関連し、各フィードバックモードは、上層により設定される時間スロットで、基地局に報告される一組のフィードバックタイプを含む。ステップＳ８０２において、ＵＥは、各フィードバックタイプの優先レベルをチェックして、所与の時間スロットで、各ダウンリンクＣＣに報告する。一例において、異なるフィードバックタイプは優先順序で群になり、各群は、同じ優先レベルをシェアする幾つかのフィードバックタイプを有する。ステップＳ８０３において、フィードバックタイプの優先レベルが複数のＣＣ間で同じ場合、ＵＥは、各ダウンリンクＣＣに関連する各フィードバックモードの優先レベルをチェックする。一例において、異なるフィードバックモードは優先順序で群になり、各群は、同じ優先レベルをシェアするひとつまたはそれ以上のフィードバックモードを有する。ステップＳ８０４において、フィードバックモードの優先レベルが複数のＣＣ間で同じである場合、その後、ＵＥは、さらに、上層により設定される各ダウンリンクＣＣの優先レベルをチェックする(たとえば、所定の優先度により、または、ＲＲＣメッセージングにより)。最後に、ステップＳ８０５において、優先レベルチェックに基づいて、ＵＥは、所与の時間スロットで、ＣＳＩ報告の優先ダウンリンクＣＣを決定し、優先ダウンリンクＣＣの対応するＣＳＩフィードバックを伝送する。
【００３３】
本発明では好ましい実施例を前述の通り開示したが、これらは決して本発明に限定するものではない。たとえば、本発明はではＬＴＥ-アドバンスド移動通信システムを説明しているが、本発明は、同様に、全キャリアアグリゲーションベースの無線通信システムにも適用できる。したがって、当該技術を熟知する者なら誰でも、本発明の思想を脱しない範囲内で各種の変形を加えることができる。
【符号の説明】
【００３４】
１００…無線通信システム
１０１…ユーザー装置
１０２…サービング基地局
２０１…ユーザー装置
２１１…メモリ
２１２…プロセッサ
２１３…ベースバンドモジュール
２１４…ＲＦモジュール
２１５…アンテナ
２３０…ＣＳＩ制御モジュール
２３１…ＣＳＩ測定モジュール
２４１…周期的ＣＳＩ報告モジュール
２４２…優先ルール決定モジュール
２４３…非周期的ＣＳＩ報告モジュール
【図１】
0005723032.tif 000002
【図２】
0005723032.tif 000003
【図３】
0005723032.tif 000004
【図４】
0005723032.tif 000005
【図５】
0005723032.tif 000006
【図６】
0005723032.tif 000007
【図７】
0005723032.tif 000008
【図８】
0005723032.tif 000009